(57)【要約】【課題】背筋を伸ばして反る動作を可能にし、長時間の座り心地を改善できる背凭れを傾斜可能な車イスを提供する。【解決手段】背凭れ部１５を支持する１対の背凭れフレーム１と座部を支持する１対の座部フレーム２とを有する。各背凭れフレーム１と各座部フレーム２とはそれぞれ交差する。各背凭れフレーム１は上側フレーム部材１Ａと下側フレーム部材１Ｂとを背凭れ領域の中間位置１Ｃで回転可能に接続して成る。背凭れ保持部材３が上側フレーム部材１Ａを下側フレーム部材１Ｂに対し中間位置１Ｃで任意の角度で折り曲げた状態で保持する。【選択図】図２
2005111006.tif 000002
【特許請求の範囲】
【請求項１】
背凭れ部を支持する１対の背凭れフレームと座部を支持する１対の座部フレームとを有し、各背凭れフレームと各座部フレームとはそれぞれ交差する車イスであって、
各背凭れフレームは上側フレーム部材と下側フレーム部材とを背凭れ領域の中間位置で回転可能に接続して成り、前記上側フレーム部材を前記下側フレーム部材に対し前記中間位置で任意の角度で折り曲げた状態で保持する背凭れ保持部材を有することを、特徴とする背凭れを傾斜可能な車イス。
【請求項２】
１対の側部フレームと２組の肘高さ調整ブロックと１対の肘掛フレームとを有し、各側部フレームは両端が各座部フレームの上部と各下側フレーム部材とに接続され下側フレーム部材側に前記座部フレームと平行な支持部を有し、前記肘高さ調整ブロックの各組は２個以上のブロック片から成って各ブロック片が選択的に各支持部を上下で挟んだ状態または各支持部の上で重なった状態で各支持部に固定され、各肘掛フレームは各下側フレーム部材に対し回転可能に設けられ前記調整ブロックの上で支持されることを、特徴とする請求項１記載の背凭れを傾斜可能な車イス。
【請求項３】
１対の支持フレームと１対の脚部フレームと１対のフットレスト板とを有し、各支持フレームは各座部フレームの先端部の下側に伸びるよう設けられ、各脚部フレームは各フットレスト板を支持し各支持フレームの上端部に回転可能に設けられ、各脚部フレームを各座部フレームに対し少なくとも垂直の位置と前方側に傾斜した位置との間の任意の位置で保持する脚部フレーム保持部材を有することを、特徴とする請求項１または２記載の背凭れを傾斜可能な車イス。
【請求項４】
１対のキャスター保持部材と１対のキャスターと２組の脚高さ調整ブロックとを有し、各キャスター保持部材は下端にキャスター保持孔を有し各支持フレームに沿って設けられ、各キャスターは車輪と基部と軸部とを有し、前記車輪は前記基部に対し回転可能に設けられ、前記軸部は前記キャスター保持孔に挿入可能であって前記基部に突出して設けられ、前記脚高さ調整ブロックの各組は２個以上のブロック片から成って各キャスター保持孔と連通する貫通孔を有し、各ブロック片が選択的に各キャスター保持孔を挟んだ状態またはその上もしくは下で重なった状態で各軸部により各キャスター保持孔とともに貫通されて各軸部に固定されることを、特徴とする請求項１，２または３記載の背凭れを傾斜可能な車イス。
【発明の詳細な説明】
【技術分野】
【０００１】
本発明は、背凭れを傾斜可能な車イスに関する。
【背景技術】
【０００２】
従来、障害の度合いや個人の好みに応じて背凭れの角度を調節可能な車イスがある（例えば、特許文献１参照）。
【０００３】
【特許文献１】特開２００３−１８０７５６号公報
【発明の開示】
【発明が解決しようとする課題】
【０００４】
しかしながら、従来の背凭れを傾斜可能な車イスでは、座部に近い背凭れの下端を回転中心として傾斜するようになっており、背筋を伸ばして反る動作をしにくい構造であった。このため、長時間、座り続けるうちに窮屈な感じになり、ストレスを感じるという課題があった。
【０００５】
本発明は、このような従来の課題に着目してなされたもので、背筋を伸ばして反る動作を可能にし、長時間の座り心地を改善できる背凭れを傾斜可能な車イスを提供することを目的としている。
【課題を解決するための手段】
【０００６】
上記目的を達成するために、本発明に係る背凭れを傾斜可能な車イスは、背凭れ部を支持する１対の背凭れフレームと座部を支持する１対の座部フレームとを有し、各背凭れフレームと各座部フレームとはそれぞれ交差する車イスであって、各背凭れフレームは上側フレーム部材と下側フレーム部材とを背凭れ領域の中間位置で回転可能に接続して成り、前記上側フレーム部材を前記下側フレーム部材に対し前記中間位置で任意の角度で折り曲げた状態で保持する背凭れ保持部材を有することを、特徴とする。
【０００７】
本発明に係る背凭れを傾斜可能な車イスは、各背凭れフレームの上側フレーム部材を下側フレーム部材に対し背凭れ領域の中間位置で任意の角度で折り曲げ、保持部材によりその状態で保持することができる。上側フレーム部材を下側フレーム部材に対して所望の角度で折り曲げることにより、背筋を伸ばして反る動作を可能にし、長時間の座り心地を改善できる。上側フレーム部材の折れ曲がる位置は、座った人の頚椎の下部付近または第２腰椎が当たる位置が好ましい。保持部材は、上側フレーム部材を連続的な任意の角度で保持可能であっても、段階的に複数の任意の角度で保持可能であってもよい。
【０００８】
本発明に係る背凭れを傾斜可能な車イスは、前述の背凭れを傾斜可能な車イスにおいて、１対の側部フレームと２組の肘高さ調整ブロックと１対の肘掛フレームとを有し、各側部フレームは両端が各座部フレームの上部と各下側フレーム部材とに接続され下側フレーム部材側に前記座部フレームと平行な支持部を有し、前記肘高さ調整ブロックの各組は２個以上のブロック片から成って各ブロック片が選択的に各支持部を上下で挟んだ状態または各支持部の上で重なった状態で各支持部に固定され、各肘掛フレームは各下側フレーム部材に対し回転可能に設けられ前記調整ブロックの上で支持されていてもよい。
【０００９】
この構成では、肘掛フレームの高さは、肘高さ調整ブロックの各組の各ブロック片が各支持部を挟んだ状態と、各ブロック片が各支持部の上で重なった状態とで変えることができる。さらに、肘高さ調整ブロックの各組が３個以上のブロック片から成る場合には、各ブロック片の各支持部を挟む上下の個数を変えることにより、肘掛フレームの高さを変えることができる。肘高さ調整ブロックは高さ調整のためにすべてのブロック片を用いることができるので、使用しないブロック片を他の場所で保管する必要がなく、その紛失のおそれがない。なお、各肘掛フレームは、各下側フレーム部材に対してその長さ方向で回転中心の位置を調節可能であることが好ましい。
【００１０】
また、本発明に係る背凭れを傾斜可能な車イスは、１対の支持フレームと１対の脚部フレームとフットレスト部とを有し、各支持フレームは各座部フレームの先端部の下側に伸びるよう設けられ、各脚部フレームは互いの間でフットレスト部を支持し各支持フレームの上端部に回転可能に設けられ、各脚部フレームを各座部フレームに対し少なくとも垂直の位置と前方側に傾斜した位置との間の任意の位置で保持する脚部フレーム保持部材を有していてもよい。
【００１１】
この構成では、各脚部フレームを各座部フレームに対し少なくとも垂直の位置と前方側に傾斜した位置との間の任意の位置に位置付け、脚部フレーム保持部材で保持することができる。各脚部フレームは、各座部フレームに対し少なくとも垂直の位置まで移動できれば、各座部フレームに対し垂直の位置よりさらに座部フレーム側に傾斜するようになっていてもよい。
【００１２】
また、本発明に係る背凭れを傾斜可能な車イスは、１対のキャスター保持部材と１対のキャスターと２組の脚高さ調整ブロックとを有し、各キャスター保持部材は下端にキャスター保持孔を有し各支持フレームに沿って設けられ、各キャスターは車輪と基部と軸部とを有し、前記車輪は前記基部に対し回転可能に設けられ、前記軸部は前記キャスター保持孔に挿入可能であって前記基部に突出して設けられ、前記脚高さ調整ブロックの各組は２個以上のブロック片から成って各キャスター保持孔と連通する貫通孔を有し、各ブロック片が選択的に各キャスター保持孔を挟んだ状態またはその上もしくは下で重なった状態で各軸部により各キャスター保持孔とともに貫通されて各軸部に固定されていてもよい。
【００１３】
この構成では、各キャスターの高さは、脚高さ調整ブロックの各組の各ブロック片が各キャスター保持孔を挟んだ状態と、各ブロック片が各キャスター保持孔の上で重なった状態と、その下で重なった状態とで変えることができる。さらに、脚高さ調整ブロックの各組が３個以上のブロック片から成る場合には、各ブロック片の各キャスター保持孔を挟む上下の個数を変えることにより、各キャスターの高さを変えることができる。脚高さ調整ブロックは高さ調整のためにすべてのブロック片を用いることができるので、使用しないブロック片を他の場所で保管する必要がなく、その紛失のおそれがない。
【発明の効果】
【００１４】
本発明によれば、背筋を伸ばして反る動作を可能にし、長時間の座り心地を改善できる背凭れを傾斜可能な車イスを提供することができる。
【発明を実施するための最良の形態】
【００１５】
以下、図面に基づき、本発明の実施の形態について説明する。
図１乃至図６は、本発明の実施の形態の背凭れを傾斜可能な車イスを示している。
図１に全体を示す背凭れを傾斜可能な車イスは、１対の背凭れフレーム１と、１対の座部フレーム２と、1対の背凭れ保持部材３と、１対の側部フレーム４と、２組の肘高さ調整ブロック５と、１対の肘掛フレーム６と、１対の支持フレーム７と、１対の脚部フレーム８と、フットレスト部９と、脚部フレーム保持部材１０と、１対のキャスター保持部材１１と、１対のキャスター１２と、２組の脚高さ調整ブロック１３（図６参照）と、1対の車輪１４とを有している。各フレームは連結されて車イスのフレームを構成している。
【００１６】
各背凭れフレーム１の間にはベルトが掛け渡され、ベルトに面ファスナーによりシート状の背凭れ部１５が着脱可能に取り付けられている。これにより、各背凭れフレーム１は、背凭れ部１５を支持している。各座部フレーム２は、シート状の座部１６を支持している。各背凭れフレーム１と各座部フレーム２とはそれぞれ交差し、各座部フレーム２は水平方向に伸びている。
【００１７】
図２に示すように、各背凭れフレーム１は、上側フレーム部材１Ａと下側フレーム部材１Ｂとを背凭れ領域の中間位置１Ｃで回転可能に接続して成っている。各背凭れフレーム１の上端は、後方側に折れ曲がってハンドル１Ｄを構成している。各下側フレーム部材１Ｂは、後部方向に垂直に突出する突出部１ａを有し、その下側に肘掛フレーム支持板１ｂを有している。肘掛フレーム支持板１ｂは、下側フレーム部材１Ｂの長さ方向に直列に複数の取付孔１ｃを有している。
【００１８】
図２に示すように、各背凭れ保持部材３は、上側フレーム部材１Ａを下側フレーム部材１Ｂに対し中間位置１Ｃで任意の角度で折り曲げた状態で保持する。各背凭れ保持部材３は、細長い板状部材から成り、上端で上側フレーム部材１Ａの中間部に回転可能に接続し、下端で突出部１ａの先端の取付部１ｄに取り付けられている。取付部１ｄは、押しボタン式に着脱可能である。各背凭れ保持部材３は、取付部１ｄへの取付孔を長さ方向に直列に複数有している。各背凭れ保持部材３は、図２に拡大して示すように取付部１ｄに取付孔で固定される。取付部１ｄに取り付ける取付孔の位置を選択することにより、上側フレーム部材１Ａの中間部との間の距離が調整され、上側フレーム部材１Ａの下側フレーム部材１Ｂに対する折り曲げ角度を調整することができる。
【００１９】
図３および図４に示すように、各側部フレーム４は、両端が各座部フレーム２の上部と各下側フレーム部材１Ｂとに接続され下側フレーム部材１Ｂ側に座部フレーム２と平行な支持部４ａを有している。肘高さ調整ブロック５の各組は、一例で３個のブロック片５ａ，５ｂ，５ｃから成っている。各ブロック片５ａ，５ｂ，５ｃにより、支持部４ａを上側に１個、下側に２個で上下に挟んだ状態、支持部４ａを上側に２個、下側に１個で上下に挟んだ状態、各ブロック片５ａ，５ｂ，５ｃが支持部４ａの上で３個重なった状態の３段階のいずれかを選択することにより、肘掛フレーム６の高さを３段階で変えることができる。図４に示すように、各ブロック片５ａ，５ｂ，５ｃは、支持部４ａに２本のボルト５ｄで着脱可能に固定される。
【００２０】
各肘掛フレーム６は、各下側フレーム部材１Ｂに対し回転可能に設けられ肘高さ調整調整ブロック５の上に載って支持される。各肘掛フレーム６の上部には、肘掛板６ａが固定されている。図３および図４に示すように、各肘掛フレーム６は、肘掛フレーム支持板１ｂの複数の取付孔１ｃに端部を回転可能に取り付けられている。各肘掛フレーム６は、取り付ける取付孔１ｃの位置を変えることにより、回転中心の位置を調節可能である。これにより、各肘高さ調整ブロック５の高さを変えたとき、それに合わせて各肘掛フレーム６の回転中心の位置を変え、各肘掛フレーム６を水平に保ち、あるいは好みの傾斜に調整することができる。
【００２１】
図５に示すように、各支持フレーム７は、各座部フレーム２の先端部の下側に伸びるよう設けられている。各脚部フレーム８は、互いの間で下端でフットレスト部９を支持し各支持フレーム７の上端部に回転可能に設けられている。フットレスト部９は、足を載せる板材から成る。脚部フレーム保持部材１０は、各脚部フレーム８を各座部フレーム２に対し少なくとも垂直の位置８ａと前方側に傾斜した位置８ｃとの間の任意の位置（例えば位置８ｂ）で保持するようになっている。各脚部フレーム保持部材１０は、細長い板状部材から成り、上端で脚部フレーム８の上側中間部８ｄに回転可能に接続し、下端で支持フレーム７の取付部１０ａに取り付けられている。各脚部フレーム保持部材１０は、取付部１０ａへの取付孔を長さ方向に沿って有している。各脚部フレーム保持部材１０は、図５に拡大して示すように取付部１０ａに取付孔で固定される。取付部１０ａに取り付ける取付孔の位置を選択することにより、支持フレーム７の上端部との間の距離が調整され、各脚部フレーム８の支持フレーム７に対する傾斜角度を調整することができる。
【００２２】
図６に示すように、各キャスター保持部材１１は、筒状であって、下端にキャスター取付部１１ａを有し、各支持フレーム７に沿って設けられている。キャスター取付部１１ａは、キャスター保持部材１１の長さ方向に伸びるキャスター保持孔１１ｂを中心に有している。各キャスター１２は、車輪１２ａと基部１２ｂと軸部１２ｃとを有している。車輪１２ａは、基部１２ｂに対し軸材１２ｄで回転可能に設けられている。軸部１２ｃは、キャスター保持孔１１ｂに挿入可能であって基部１２ｂに突出して設けられている。脚高さ調整ブロック１３の各組は、２個のブロック片１３ａ，１３ｂから成っている。各ブロック片１３ａ，１３ｂは、各キャスター保持孔１１ｂと連通する貫通孔を有している。図６に示すように、各ブロック片１３ａ，１３ｂは、各軸部１２ｃにより各キャスター保持孔１１ｂとともに貫通されて各軸部１２ｃに固定され、キャスター取付部１１ａに着脱可能に固定される。各ブロック片１３ａ，１３ｂがキャスター取付部１１ａの上で２個重なった状態、各ブロック片１３ａ，１３ｂによりキャスター取付部１１ａを上下に挟んだ状態、各ブロック片１３ａ，１３ｂがキャスター取付部１１ａの下側に重なって配置された状態の３段階のいずれかを選択することにより、キャスター１２の高さを３段階で変えることができる。
【００２３】
次に、作用について説明する。
背凭れを傾斜可能な車イスは、各背凭れフレーム１の上側フレーム部材１Ａを下側フレーム部材１Ｂに対し背凭れ領域の中間位置１Ｃで任意の角度で折り曲げ、保持部材によりその状態で保持することができる。上側フレーム部材１Ａを下側フレーム部材１Ｂに対して所望の角度で折り曲げることにより、背筋を伸ばして反る動作を可能にし、長時間の座り心地を改善できる。上側フレーム部材１Ａの折れ曲がる位置は、座った人の頚椎の下部付近が当たる位置である。
【００２４】
長時間車イスに着座していると、背を伸ばしたくなったり身体を動かしたくなる。従来の車イスでは、背凭れフレームの角度は一定であり、背を伸ばすことはできなかった。従来の背凭れフレームのリクライニング機構は、背凭れフレームと座部フレームとの境界部で角度が変わり、背筋を伸ばすのには役立たなかった。これに対し、頚椎の位置または第2腰椎で背凭れフレーム１の上側フレーム部材１Ａが下側フレーム部材１Ｂに対して折れ曲がることにより、かるく背筋を伸ばすことが可能となる。これにより、窮屈な状態で着座し続けなくとも、長時間、快適に座り続けることができる。一例では、図２に示すように、各背凭れフレーム１の座部フレーム２に対する傾斜角度を９５度から１１１度まで変えることができる。
【００２５】
また、肘掛フレーム６の高さは、肘高さ調整ブロック５の各組の各ブロック片５ａ，５ｂ，５ｃが各支持部４ａを挟んだ状態と、各ブロック片５ａ，５ｂ，５ｃが各支持部４ａの上で重なった状態とで変えることができる。さらに、各ブロック片５ａ，５ｂ，５ｃの各支持部４ａを挟む上下の個数を変えることにより、肘掛フレーム６の高さを変えることができる。一例では、図３（ａ），（ｂ），（ｃ）に示すように、肘掛板６ａの支持部４ａからの高さを５２ミリから９２ミリまで変えることができる。
【００２６】
従来の車イスでは、肘掛の高さ調整を行う場合、スペーサを用いるタイプでは、保管しているスペーサを探し出す必要があり、保管中にスペーサを紛失したり破損させてしまったりすることがしばしばあった。これに対し、常にすべてのブロック片５ａ，５ｂ，５ｃを使用して肘掛フレーム６の高さを設定するようにしてあるため、肘掛フレーム６の高さを変える際に、ブロック片５ａ，５ｂ，５ｃを探す必要がなく、スペーサの紛失のおそれをなくすことができる。
【００２７】
さらに、各脚部フレーム８を各座部フレーム２に対し少なくとも垂直の位置８ａと前方側に傾斜した位置８ｃとの間の任意の位置に位置付け、脚部フレーム保持部材１０で保持することができる。
【００２８】
従来の車イスでは、脚が硬直している利用者の場合、車イスに移乗したり車イスから他に移乗したりするとき、脚部フレーム８を取り外したり回動させて脚部フレーム８が移乗の邪魔にならないようにするか、あるいは利用者または介護者が屈んでフットレスト部９を起こして回避させる必要があった。これに対し、各脚部フレーム８を各座部フレーム２に対し少なくとも垂直の位置まで移動させることができるため、各脚部フレーム８を取り外したり屈んでフットレスト部９を跳ね上げる必要がなくなり、移乗をスムーズに行うことが可能となった。
【００２９】
また、各キャスター１２の高さは、脚高さ調整ブロック１３の各組の各ブロック片１３ａ，１３ｂが各キャスター保持孔１１ｂを挟んだ状態と、各ブロック片１３ａ，１３ｂが各キャスター保持孔１１ｂを有するキャスター取付部１１ａの上で重なった状態と、その下で重なった状態とで変えることができる。なお、脚高さ調整ブロック１３の各組が３個以上のブロック片から成る場合には、各ブロック片の各キャスター保持孔１１ｂを挟む上下の個数を変えることにより、各キャスター１２の高さを変えることができる。脚高さ調整ブロック１３は高さ調整のためにすべてのブロック片１３ａ，１３ｂを用いることができるので、使用しないブロック片を他の場所で保管する必要がなく、その紛失のおそれがない。
【図面の簡単な説明】
【００３０】
【図１】本発明の実施の形態の背凭れを傾斜可能な車イスの（ａ）正面図、（ｂ）平面図、（ｃ）右側面図、（ｄ）底面図、（ｅ）背面図である。
【図２】図１に示す背凭れを傾斜可能な車イスの背凭れ傾斜構造の（ａ）側面図、（ｂ）取付部による取付状態を示す平面図、（ｃ）取付部による取付状態を示す断面図である。
【図３】図１に示す背凭れを傾斜可能な車イスの肘掛高さ調整構造の（ａ）第1段階、（ｂ）第2段階、（ｃ）第３段階の側面図である。
【図４】図１に示す背凭れを傾斜可能な車イスの肘掛高さ調整構造の断面図である。
【図５】図１に示す背凭れを傾斜可能な車イスの脚部フレーム角度調整構造の（ａ）側面図、（ｂ）取付部による取付状態を示す平面図、（ｃ）取付部による取付状態を示す断面図である。
【図６】図１に示す背凭れを傾斜可能な車イスのキャスターの高さ調整構造の（ａ）第1段階、（ｂ）第2段階、（ｃ）第３段階の側面図である。
【符号の説明】
【００３１】
１    背凭れフレーム
２    座部フレーム
３    背凭れ保持部材
４    側部フレーム
５    肘高さ調整ブロック
６    肘掛フレーム
７    支持フレーム
８    脚部フレーム
９    フットレスト部
１０  脚部フレーム保持部材
１１  キャスター保持部材
１２  キャスター
１３  脚高さ調整ブロック
１４  車輪
１５  背凭れ部
１６  座部
【図１】
2005111006.tif 000003
【図２】
2005111006.tif 000004
【図３】
2005111006.tif 000005
【図４】
2005111006.tif 000006
【図５】
2005111006.tif 000007
【図６】
2005111006.tif 000008